(57)【要約】【課題】プレビュー画像のページめくりにおいて、表示部に表示中のページが所望のページか否かの確認を迅速に行うことができる画像形成システムを提供する。【解決手段】画像データに基づくイメージ画像を表示する表示部３１を備える画像形成システム１において、ジョブの情報を含まないイメージ画像である第１画像を生成する第１画像処理部７１と、ジョブの情報を含んだイメージ画像である第２画像を生成する第２画像処理部７２と、表示部３１に第１画像を表示し、第２画像の生成が完了した後に表示部３１に表示している第１画像を第２画像に切り替える制御部１０と、を備える。【選択図】図５
2010010985.tif 000002
【特許請求の範囲】
【請求項１】
画像データに基づくイメージ画像を表示する表示部を備える画像形成システムにおいて、
ジョブの情報を含まないイメージ画像である第１画像を生成する第１画像処理部と、
ジョブの情報を含んだイメージ画像である第２画像を生成する第２画像処理部と、
前記表示部に第１画像を表示し、第２画像の生成が完了した後に前記表示部に表示している前記第１画像を前記第２画像に切り替える制御部と、を備えることを特徴とする画像形成システム。
【請求項２】
前記表示部に表示される前記イメージ画像のページめくりの指示を行う操作部を備え、
前記制御部は、前記操作部によりページめくりが指示された場合に、第１タイミングで、前記第１画像を前記表示部に表示し、前記第１タイミング経過後の第２タイミングで、前記第２画像を前記表示部に表示することを特徴とする請求項１に記載の画像形成システム。
【請求項３】
前記制御部は、前記第１タイミングから前記第２タイミングまでの間に、前記操作部によりページめくりが指示された場合に、前記ページめくり後のページの第１画像を前記表示部に表示し、前記第１タイミングから前記第２タイミングまでの間に、前記操作部によりページめくりが指示されない場合に、前記第２タイミングで前記第１画像に対応する第２画像を表示することを特徴とする請求項２記載の画像形成システム。
【請求項４】
前記制御部は、前記操作部による指示が所定時間以上継続した場合、前記第１画像を所定のページ間隔毎に連続して前記表示部に表示し、且つ、前記操作部による指示の継続が終了した場合に、前記操作部の指示が終了した時点のページの第２画像を前記表示部に表示することを特徴とする請求項１〜３の何れか一項に記載の画像形成システム。
【請求項５】
ページめくりを停止する指示を行う停止部を備え、
前記制御部は、前記操作部による指示が所定時間以上継続した場合、前記第１画像を所定のページ間隔毎に連続して前記表示部に表示し、且つ、前記停止部による停止指示が行われた場合に、前記停止部による停止指示が行われた時点のページの第２画像を前記表示部に表示することを特徴とする請求項１〜３の何れか一項に記載の画像形成システム。
【請求項６】
前記所定のページ間隔を設定する設定部を備えたことを特徴とする請求項４又は５に記載の画像形成システム。
【発明の詳細な説明】
【技術分野】
【０００１】
本発明は、画像形成システムに関する。
【背景技術】
【０００２】
従来、取得した画像データに基づく画像形成を行う場合この画像データの内容を確認するために、プレビュー画像等のイメージ画像をディスプレイに表示する機能を備えた画像形成システムが知られている。プレビュー画像とは、編集・後処理等の画像処理が行われたイメージ画像である。
また、こうした機能を備えた画像形成システムにおいて、ディスプレイに表示されたイメージ画像のページをめくって所望のページを探すことのできるページめくり機能が知られている（例えば、特許文献１参照）。
【特許文献１】特開２００６−２２１４０６号公報
【発明の開示】
【発明が解決しようとする課題】
【０００３】
しかしながら、編集や後処理等のジョブの情報を含むイメージ画像であるプレビュー画像に対してページめくりを実行した場合、画像処理に時間を要し、ページめくりして次のページが表示されるまでに時間がかかってしまうため、ページを確認するのに時間がかかるという問題があった。特に、連続的に何枚もページをめくる場合には顕著に時間がかかり、ページを確認するのに時間がかかるという問題があった。
【０００４】
本発明の課題は、プレビュー画像のページめくりにおいて、所望のページを探す際に、表示部に表示中のページが所望のページか否かの確認を迅速に行うことができる画像形成システムを提供することである。
【課題を解決するための手段】
【０００５】
請求項１に記載の発明は、
画像データに基づくイメージ画像を表示する表示部を備える画像形成システムにおいて、
ジョブの情報を含まないイメージ画像である第１画像を生成する第１画像処理部と、
ジョブの情報を含んだイメージ画像である第２画像を生成する第２画像処理部と、
前記表示部に第１画像を表示し、第２画像の生成が完了した後に前記表示部に表示している前記第１画像を前記第２画像に切り替える制御部と、を備えることを特徴とする。
【０００６】
また、請求項２に記載の発明は、請求項１に記載の画像形成システムにおいて、
前記表示部に表示される前記イメージ画像のページめくりの指示を行う操作部を備え、
前記制御部は、前記操作部によりページめくりが指示された場合に、第１タイミングで、前記第１画像を前記表示部に表示し、前記第１タイミング経過後の第２タイミングで、前記第２画像を前記表示部に表示することを特徴とする。
【０００７】
また、請求項３に記載の発明は、請求項２記載の画像形成システムにおいて、
前記制御部は、前記第１タイミングから前記第２タイミングまでの間に、前記操作部によりページめくりが指示された場合に、前記ページめくり後のページの第１画像を前記表示部に表示し、前記第１タイミングから前記第２タイミングまでの間に、前記操作部によりページめくりが指示されない場合に、前記第２タイミングで前記第１画像に対応する第２画像を表示することを特徴とする。
【０００８】
また、請求項４に記載の発明は、請求項１〜３の何れか一項に記載の画像形成システムにおいて、
前記制御部は、前記操作部による指示が所定時間以上継続した場合、前記第１画像を所定のページ間隔毎に連続して前記表示部に表示し、且つ、前記操作部による指示の継続が終了した場合に、前記操作部の指示が終了した時点のページの第２画像を前記表示部に表示することを特徴とする。
【０００９】
また、請求項５に記載の発明は、請求項１〜３の何れか一項に記載の画像形成システムにおいて、
ページめくりを停止する指示を行う停止部を備え、
前記制御部は、前記操作部による指示が所定時間以上継続した場合、前記第１画像を所定のページ間隔毎に連続して前記表示部に表示し、且つ、前記停止部による停止指示が行われた場合に、前記停止部による停止指示が行われた時点のページの第２画像を前記表示部に表示することを特徴とする。
【００１０】
また、請求項６に記載の発明は、請求項４又は５に記載の画像形成システムにおいて、
前記所定のページ間隔を設定する設定部を備えたことを特徴とする。
【発明の効果】
【００１１】
請求項１記載の発明によれば、画像生成に時間のかからない第１画像と、画像生成に時間のかかる第２画像とが、表示部に段階的に表示されため、第１画像が表示された段階でページの認識が可能となって、表示部に表示中のページが所望のページか否かの確認を迅速に行うことができる。
【００１２】
請求項２記載の発明によれば、特に操作部によりページめくりの指示を行う際に、表示部に表示中のページが所望のページか否かの確認を迅速に行うことができる。
【００１３】
請求項３記載の発明によれば、ページめくりを連続的に指示する場合、第１画像が連続して表示された後に、所望のページの第２画像のみが表示されることとなるので必要のない第２画像の表示が省かれることとなり、処理速度が短縮できるため所望のページへの到達が迅速になる。
【００１４】
請求項４記載の発明によれば、所望のページの第２画像が表示される以前の第１画像の連続表示の時間が短縮できることとなり、所望のページへの到達がより迅速になる。
【００１５】
請求項５記載の発明によれば、大幅にプレビュー画像のページめくりを行う場合に操作部を押下しつづける必要がなく、使い勝手をよりよくすることができる。
【００１６】
請求項６記載の発明によれば、第１画像を連続表示させる際のページ間隔を設定できるので、使い勝手をよりよくすることができる。
【発明を実施するための最良の形態】
【００１７】
[第１の実施の形態]
以下、図を参照して本発明に係る第１の実施の形態を説明する。
図１は、第１の実施の形態における画像形成システム１の概略構成図であり、図２は、画像形成システム１の内部構成を示すブロック図である。
図１、２に示すように、画像形成システム１は、画像読取部２０、表示操作部３０、画像形成部４０、給紙ユニット５０、後処理部６０、画像処理部７０、通信部８０及び制御部１０、を備えて構成される。
【００１８】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してラインイメージセンサＣＣＤ（Charged Coupled devices）により光電変換して原稿画像を読み取る。
【００１９】
画像読取部２０により読み取られた原稿画像データは、各種画像処理が施され、画像形成用の読取画像データとして画像形成部４０に出力される。
【００２０】
表示操作部３０は、ＬＣＤ（Liquid Crystal Display）等の表示パネルからなる表示部３１と、表示部３１を覆うように設けられたタッチパネルや各種の操作キーからなる操作部３２と、を備えて構成され、ユーザによる操作入力を受け付けて操作信号を制御部１０に出力するとともに、制御部１０から入力される制御信号に従って、画像データに基づくイメージ画像、各種設定画面、ページ編集画面、及び各種処理結果等を表示する。
【００２１】
具体的には、表示部３１は、例えば、制御部１０の表示指示により、ジョブの情報に基づいて画像形成した後のページのイメージ画像であるプレビュー画像を表示するためのプレビュー領域Ｅ（図３参照）等を表示する。
【００２２】
操作部３２は、ユーザによる操作キーの押下操作やタッチパネルの押圧操作に応じた操作信号を制御部１０に出力する。
例えば、操作部３２は、表示部３１に表示されるイメージ画像のページをめくる指示を行う際に操作される。
【００２３】
また、操作部３２による指示が所定時間（Ｔ１）以上継続した場合、後述の「連続モード」にて表示部３１にプレビュー画像が表示される。
例えば、所定時間（Ｔ１）を３秒と設定した場合、操作部３２による指示が３秒以上継続した場合、連続モードに切り替わる。
【００２４】
また、操作部３２は、イメージ画像が、所定のページ間隔（Ｐ１）ごとに、又は一定の表示時間（Ｔ２）おきに表示部３１に表示されるように、所定のページ間隔（Ｐ１）、又は表示時間（Ｔ２）を設定できる。
例えば、所定のページ間隔（Ｐ１）を３ページとし、表示時間（Ｔ２）を３秒と設定した場合、３ページの間隔ごとに３秒おきにプレビュー画像が表示される。
すなわち、操作部３２は、設定部として、上記の所定時間（Ｔ１）、表示時間（Ｔ２）、及び所定のページ間隔（Ｐ１）等を設定する際に使用される。
【００２５】
ここで、図３に、表示部３１に表示されるプレビュー領域Ｅの一例を示す。
図２に示すように、プレビュー領域Ｅは、プレビュー画像が表示される画像表示部Ｅ１、前ページキーＢ１、次ページキーＢ２、及びページ番号表示領域Ｅ１０等を備えている。
【００２６】
具体的には、画像表示部Ｅ１には、後述する第１画像、及び第２画像を含むプレビュー画像が表示される。
前ページキーＢ１は、プレビュー領域Ｅに表示するプレビュー画像を、表示中のプレビュー画像のページの前に続く順番のページ（前ページ）のプレビュー画像へ遷移する指示を入力するキーである。また、次ページキーＢ２は、プレビュー領域Ｅに表示するプレビュー画像を、表示中のプレビュー画像のページの後に続く次ページのプレビュー画像へ遷移する指示を入力するキーである。
ページ番号表示領域Ｅ１０は、表示中のプレビュー画像が、ジョブの何ページ目であるかを示す領域である。
ユーザは、操作部３２の前ページキーＢ１や次ページキーＢ２を操作して、プレビュー領域Ｅに表示されるプレビュー画像のページめくりの指示を行う。
【００２７】
画像形成部４０は、制御部１０の指示により、画像データに基づいて電子写真方式で用紙にカラーの画像形成を行うものであり、給紙ユニット５０から給紙された用紙を搬送する搬送機構４１、用紙に画像形成を行う画像形成本体部４２、用紙上に形成されたトナー像を定着させる定着部４３から構成される。
また、画像形成本体部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を用紙に転写する転写部、感光ドラム上の残トナーを除去するクリーニング部から構成される。
【００２８】
なお、本実施の形態では、画像形成部４０を電子写真方式でカラーの画像形成を行うものとして説明するが、これに限定されるものではない。画像形成部４０としては、白黒の画像形成を行うものとしてもよく、インクジェット方式、熱転写方式、昇華方式、ドットインパクト方式等、他の方式の画像形成を行うものとしてもよい。
【００２９】
給紙ユニット５０は、給紙トレイ５１〜５４の４つの給紙トレイを備えて構成される。
なお、本実施の形態では、４つの給紙トレイを備えることとしたが、その数は特に限定しない。各給紙トレイ５１〜５４には、普通紙、裏紙、再生紙、上質紙等の用紙種及びサイズが異なる用紙を収容することが可能である。
【００３０】
後処理部６０は、制御部１０の指示により、画像形成部４０で画像形成された用紙に、パンチ（穿孔）処理及びステープル処理を施して排紙トレイ６１から排紙する。また、後処理部６０は、画像形成された用紙に、ソート処理、製本処理等、他の後処理を行うものとしてもよい。また、後処理部６０は、画像形成（又は後処理）がなされた用紙を排紙する排紙トレイ６１を有する。なお、後処理を行わない場合には、画像形成部４０で画像形成された用紙が排紙トレイ６１から排紙される。
【００３１】
画像処理部７０は、制御部１０の指示により、画像読取部２０から入力されるアナログの画像信号に、アナログ処理、Ａ／Ｄ変換、シェーディング補正、画像圧縮処理及び変倍処理等の各種画像処理を施してデジタルの画像データを出力する。
【００３２】
また、画像処理部７０は、制御部１０の指示により、画像読取部２０で読取られた画像データ、通信部８０から入力された画像データ、又は記憶部１３（後述）に記憶された画像データに、操作部３２から入力された操作信号に応じて、第１画像及び第２画像のプレビュー画像データへの変換処理等の画像処理を施す。
具体的には、画像処理部７０は、第１画像を生成する第１画像処理部７１と、第２画像を生成する第２画像処理部７２と、を備えている。
第１画像処理部７１は、制御部１０の指示により、ジョブの情報を含まないイメージ画像である第１画像を生成する。
第２画像処理部７２は、制御部１０の指示により、第１画像処理部７１により生成された第１画像に編集や後処理等の画像処理を施し、ジョブの情報を含んだイメージ画像である第２画像を生成する。
【００３３】
ここで、図４に、第１画像及び第２画像の一例を示す。
図４（ａ）に示すように、ジョブの情報として、４ページ毎の画像の集約処理が含まれる場合、例えば、集約される画像データのうち、１ページ目の画像のみからなる第１画像、４ページが集約された第２画像が各々表示される。
また、図４（ｂ）に示すように、ジョブの情報として、パンチ（穿孔）処理などの後処理が含まれる場合、パンチ処理されていない第１画像、パンチ処理された第２画像が各々表示される。
【００３４】
通信部８０は、ＬＡＮ（Local Area Network）等の通信回線を介して、ＰＣ（Personal Computer）等の情報処理装置（図示略）と通信接続される。通信部８０は、制御部１０の指示により、前記情報処理装置から送信される画像形成のジョブのデータを画像形成部４０又は記憶部１３（後述）へ配信する機能を有する。
【００３５】
制御部１０は、ＣＰＵ（Central Processing Unit）１１、ＲＡＭ（Random Access Memory）１２、記憶部１３等を備えて構成されており、画像形成システム１の各部を中央制御する。
制御部１０において、ＣＰＵ１１が記憶部１３に記憶された各種プログラムをＲＡＭ１２に展開し、ＣＰＵ１１がＲＡＭ１２に展開されたプログラムにより各種処理を実行する。
ＲＡＭ１２には、後述するプレビュー画像のページめくり処理を実行するための処理プログラムおよび当該処理プログラムの実行により生成されたデータなどが記憶される。
【００３６】
例えば、制御部１０は、かかる処理プログラムに基づいて、表示部３１に第１画像を表示し、次いで第２画像の生成が完了した後に、表示部３１に表示している第１画像を第２画像に切り替えて表示部３１に表示する。
【００３７】
具体的には、制御部１０は、操作部３２によりページめくりが指示された場合に、「第１タイミング」で第１画像を表示部３１に表示し、第１タイミング経過後の「第２タイミング」で第２画像を表示部３１に表示する。
【００３８】
また、制御部１０は、第１画像を表示する第１タイミングから、第２画像を表示する第２タイミングまでの間に、操作部３２によりページめくりが指示された場合に、ページめくり後のページの第１画像を表示部３１に表示し、第１タイミングから第２タイミングまでの間に、操作部３２によりページめくりが指示されない場合に、第２タイミングで第１画像に対応する第２画像を表示する。
【００３９】
また、制御部１０は、操作部３２による指示が所定時間（Ｔ１）以上継続した場合、第１画像を所定のページ間隔毎に連続して表示部３１に表示する「連続モード」と判断し、当該「連続モード」の処理を実行する。
そして、制御部１０は、操作部３２による指示の継続が終了した場合に、「連続モード」が終了したと判断して操作部３２の指示が終了した時点のページの第２画像を表示部３１に表示する。
ここで、「連続モード」とは、プレビュー画像（第１画像）を、所定のページ間隔（Ｐ１）ごとに、一定の表示時間（Ｔ２）おきに表示部３１に表示させるモードである。
【００４０】
記憶部１３は、画像読取部２０又は通信部８０から入力された画像データを含むジョブのデータを一時的に記憶する。また、記憶部１３は、表示操作部３０を介するユーザの操作入力により設定される各種設定情報、後述するプレビュー画像に関する設定情報を記憶する。
【００４１】
次に、図５を参照して画像形成システム１の動作を説明する。
図５は、画像形成システム１におけるページめくりの処理の流れを示すフローチャートである。
【００４２】
かかる処理が実行されるにあたり、表示部３１には、図３に例示したように、プレビュー領域Ｅが設けられており、プレビュー領域Ｅには、任意のページ（初期ページ）のイメージ画像が表示されていることとする。
【００４３】
まず、制御部１０は、ページめくりを指示するための操作部３２の操作があるか否かを判断し（ステップＳ１）、指示がない場合（ステップＳ１：Ｎｏ）、ステップＳ１にてこの判断を繰り返す。
【００４４】
制御部１０は、操作部３２の指示がある場合（ステップＳ１：Ｙｅｓ）、操作部３２が押下された時間（指示が継続した時間）（ｔ１）の計時を開始する（ステップＳ２）。
【００４５】
次いで、制御部１０は、操作後の第１画像を作成し、表示部３１に表示させる（ステップＳ３；第１タイミング）。
【００４６】
次いで、制御部１０は、作成中の第２画像があるか否かを判断する（ステップＳ４）。
【００４７】
次いで、制御部１０は、作成中の第２画像がある場合（ステップＳ４：Ｙｅｓ）、この第２画像は、表示部３１に表示中の第１画像に対応した第２画像ではないものと判断し、この第２画像に対して表示させないフラグをたて（ステップＳ５）、後述のステップＳ７に移行する。
一方、制御部１０は、作成中の第２画像がない場合（ステップＳ４：Ｙｅｓ）、表示部３１に表示中の第１画像に対応した第２画像の作成を開始し（ステップＳ６）、後述のステップＳ７に移行する。
【００４８】
ステップＳ７において、制御部１０は、上記ステップＳ１においてなされた操作部３２による指示が継続状態でないか否かを判断する（ステップＳ７）。
【００４９】
次いで、制御部１０は、かかる操作部３２の指示が終了したと判断した場合（ステップＳ７：Ｙｅｓ）、上記ステップＳ４にて作成中であった第２画像、又は上記ステップＳ６にて作成を開始した第２画像の作成が完了したか否かを判断する（ステップＳ８）。
【００５０】
次いで、制御部１０は、第２画像の作成が完了していない場合には（ステップＳ８：Ｎｏ）、再度、操作部３２の操作があるか否かを判断し（ステップＳ９）、この操作部３２の再操作がない場合（ステップＳ９:Ｎｏ）、上記ステップＳ８の判断を繰り返す。一方、操作部３２の再操作がある場合（ステップＳ９:Ｙｅｓ）、上記ステップＳ２に移行して上記ステップＳ２移行の動作を繰り返す。
【００５１】
また、ステップＳ８において、第２画像の作成が完了している場合には（ステップＳ８：Ｙｅｓ）、かかる第２画像に対して表示させないフラグがあるか否かを判断する（ステップＳ１０）。
【００５２】
次いで、制御部１０は、フラグがある場合（ステップＳ１０：Ｙｅｓ）、この第２画像は、表示中の第１画像に対応した第２画像ではないものと判断して、表示中の第１画像に対応した第２画像の作成を開始し（ステップＳ１１）、その後、上記ステップＳ９に移行して上記ステップＳ９移行の動作を繰り返す。
一方、ステップＳ１０において、フラグがない場合（ステップＳ１０：Ｎｏ）、表示中の第１画像を、第２画像に差し替えて表示部３１に表示させ（ステップＳ１２；第２タイミング）、処理を終了する（図５：ＥＮＤ）。
【００５３】
また、ステップＳ７において、上記ステップＳ１においてなされた操作部３２の指示が終了していないと判断した場合（ステップＳ７：ＮＯ）、制御部１０は、操作部３２が押下された押下時間（ｔ１）が所定時間（Ｔ１）に達するか否かを判断する（ステップＳ１３）。
【００５４】
次いで、制御部１０は、操作部３２の押下時間（ｔ１）が所定時間（Ｔ１）に達しない場合には（ステップＳ１３：Ｎｏ）、上記ステップＳ７に移行して、以後の処理を繰り返す。
一方、操作部３２の押下時間（ｔ１）が所定時間（Ｔ１）に達した場合には（ステップＳ１３：Ｙｅｓ）、制御部１０は、表示部３１に表示されるプレビュー画像（第１画像）が所定のページ間隔毎に表示される「連続モード」に切り替える（ステップＳ１４；図６参照）。
連続モードが終了した後、制御部１０は、上記ステップＳ１１に移行して上記ステップＳ１１移行の動作を繰り返す。
【００５５】
図６は、連続モードの処理の流れを示すフローチャートである。
【００５６】
制御部１０は、連続モードに切り替えられると(図６：ＳＴＡＲＴ)、表示部３１に表示されるプレビュー画像が、所定のページ間隔（Ｐ１）ごとに表示されるように、Ｐ＝Ｐ+Ｐ１の設定を行う（ステップＳ１４１）。
【００５７】
次いで、制御部１０は、第１画像Ｐの表示を行い（ステップＳ１４２）、計時（ｔ２）を開始する（ステップＳ１４３）。
【００５８】
次いで、制御部１０は、計時した時間（ｔ２）が表示時間（Ｔ２）に達したか否かを判断し（ステップＳ１４４）、この計時時間（ｔ２）が表示時間（Ｔ２）に達した場合（ステップＳ１４４：ＹＥＳ）、上記ステップＳ１４1に戻ってＳ１４1以降の動作を繰り返す。
一方、計時時間（ｔ２）が表示時間（Ｔ２）に達しない場合（ステップＳ１４４：ＮＯ）、制御部１０は、上記ステップＳ７における操作部３２による押下操作が終了したか否かを判断し（ステップＳ１４５）、操作部３２の押下が終了しない場合には（ステップＳ１４５：Ｎｏ）、上記ステップ１４４に戻ってステップ１４４移行の処理を繰り返す。
また、制御部１０は、操作部３２の押下操作が終了した場合には（ステップＳ１４５：Ｙｅｓ）、操作部３２の押下操作が終了した時点で表示部３１に表示されていた第１画像を表示部３１に表示させた状態で、連続モードを停止する（図６：ＥＮＤ）。
【００５９】
以上のように、本実施の形態の画像形成システム１によれば、プレビュー画像のページめくりにおいて、表示部３１に第１画像を表示し、当該第１画像に対応する第２画像の生成が完了した後に、第１画像を第２画像に切り替えて表示部３１に表示することとなる。このため、画像生成に時間のかからない第１画像と、画像生成に時間のかかる第２画像とが、表示部３１に段階的に表示されることとなる。従って、第１画像が表示された段階でページの認識が可能となって、表示部３１に表示中のページが所望のページか否かの確認を迅速に行うことができる。
【００６０】
また、第１画像が表示される第１タイミングから、第２画像が表示される第２タイミングまでの間に、操作部３２により再度ページめくりが指示された場合に、この再操作後のページの第１画像を表示部３１に表示し、第１タイミングから第２タイミングまでの間に、操作部３２により２回目のページめくりが指示されない場合に、第２タイミングで第１画像に対応する第２画像を表示することとなる。従って、ページめくりを連続的に指示する場合、第１画像が連続して表示された後に、所望のページの第２画像のみが表示されることとなるので必要のない第２画像の表示が省かれることとなり、処理速度が短縮できるため所望のページへの到達が迅速になる。
【００６１】
また、操作部３２による指示が所定時間（Ｔ１）以上継続した場合、第１画像を所定のページ間隔毎に連続して表示部３１に表示し、且つ、操作部３２による指示の継続が終了した場合に、操作部３２の指示が終了した時点のページの第２画像を表示部３１に表示することとなる。従って、所望のページの第２画像が表示される以前の第１画像の連続表示の時間が短縮できることとなり、所望のページへの到達が迅速になる。
【００６２】
また、所定のページ間隔を設定する設定部としての操作部３２を備えているため、第１画像を連続表示させる際のページ間隔を設定でき、使い勝手をよりよくすることができる。
【００６３】
[第２の実施の形態]
次に、本発明に係る第２の実施の形態を説明する。また、本第２の実施の形態において、上記第１の実施の形態と重複する部分はその説明を省略し、第１の実施の形態と異なる部分を主として説明する。
【００６４】
図７は、画像形成システム２の内部構成を示すブロック図である。
図７に示すように、本実施の形態における画像形成システム２は、画像読取部２０、表示操作部３０、画像形成部４０、給紙ユニット５０、後処理部６０、画像処理部７０、通信部８０、制御部１０ａおよびページめくりを停止する停止指示を行う停止部３３を備えて構成される。
停止部３３は、表示操作部３０に備えられている。なお、停止部３３と操作部３２とを、同一のボタンとして構成しても良い。
【００６５】
制御部１０ａは、操作部３２による指示が所定時間（Ｔ）以上継続した場合、第１画像を所定のページ間隔毎に連続して表示部３１に表示し（すなわち、「連続モード」）、且つ、停止部３３による停止指示が行われた場合に、停止部３３による停止指示が行われた時点のページの第２画像を表示部３１に表示する。
【００６６】
図８は、本実施の形態の連続モードの処理の流れを示すフローチャートである。なお、第１の実施の形態と同様の処理については同一の符号を付してその説明を省略する。
【００６７】
制御部１０ａは、連続モードに切り替えられると(図８：ＳＴＡＲＴ)、表示部３１に表示されるプレビュー画像が、所定のページ間隔（Ｐ１）ごとに表示されるように、Ｐ＝Ｐ+Ｐ１の設定を行う（ステップＳ２４１）。
【００６８】
次いで、制御部１０ａは、第１画像Ｐの表示を行い（ステップＳ２４２）、計時（ｔ２）を開始する（ステップＳ２４３）。
【００６９】
次いで、制御部１０ａは、計時した時間（ｔ２）が表示時間（Ｔ２）に達したか否かを判断し（ステップＳ２４４）、この計時時間（ｔ２）が表示時間（Ｔ２）に達した場合（ステップＳ２４４：ＹＥＳ）、上記ステップＳ２４1に戻ってＳ２４1以降の動作を繰り返す。
一方、計時時間（ｔ２）が表示時間（Ｔ２）に達しない場合（ステップＳ２４４：ＮＯ）、制御部１０ａは、停止部３３が操作されたか否かを判断し（ステップＳ２４５）、停止部３３が操作されない場合には（ステップＳ２４５：Ｎｏ）、上記ステップ２４４に戻ってステップ２４４移行の処理を繰り返す。
また、制御部１０ａは、停止部３３が操作された場合には（ステップＳ２４５：Ｙｅｓ）、停止部３３の操作が行われた時点で表示部３１に表示されていた第１画像を表示部３１に表示させた状態で、連続モードを停止する（図８：ＥＮＤ）。
【００７０】
以上のように、本実施の形態の画像形成システム２によれば、第１の実施の形態と同様の効果が得られるのは勿論のこと、停止部３３を備えることにより、一旦連続モードとした後、任意のページになった時点で停止部３３を操作してページめくりを停止させることができる。従って、大幅にプレビュー画像のページめくりを行う場合に操作部３２を押下しつづける必要がなく、使い勝手をよりよくすることができる。
【００７１】
なお、上記した実施の形態においては、初期ページから後続のページにページめくりを行う場合を例示して説明しているが、初期ページより前のページにページめくりを行うこともできる。この場合、操作部３２として前ページキーＢ１を用いれば良い。
【００７２】
また、上記した実施の形態においては、操作部３２による指示が所定時間（Ｔ）以上継続した場合に連続モードとなることとしているが、これに限定されるものではない。例えば、一定時間内の操作部３２の操作回数が予め設定された回数以上となった場合に連続モードとなるようにしても良い。
【００７３】
また、上記した実施の形態においては、作成中の第２画像の作成が完了した時点で、次の第２画像の作成を開始する構成であるが、２回目の操作部３２の操作があった時点で作成中の第２画像の作成を中止し、次の第２画像の作成を開始する構成であっても良い。
【００７４】
また、上記した実施の形態においては、連続モードとした場合に、表示部３１に第１画像のみを所定のページ間隔毎に連続して表示させる構成であるが、この第１画像の一部を第２画像にしても良い。具体的には、例えば、５ページ間隔毎に５ページ目、１０ページ目、１５ページ目と第１画像を表示させ、２０ページ目に第２画像を表示させるようにすることができる。そして、再び、２５ページ目、３０ページ目、３５ページ目と第１画像を表示させ、４０ページ目に、再び、第２画像を表示させるようにすることができる。
【図面の簡単な説明】
【００７５】
【図１】第１の実施の形態における画像形成システムの概略構成図である。
【図２】第１の実施の形態における画像形成システムのブロック図である。
【図３】表示部に表示された画面の一例を示す図である。
【図４】第１画像及び第２画像の一例を示す図である。
【図５】第１の実施の形態におけるページめくり処理を示すフローチャートである。
【図６】第１の実施の形態における連続モードの処理を示すフローチャートである。
【図７】第２の実施の形態における画像形成システムのブロック図である。
【図８】第１の実施の形態における連続モードの処理を示すフローチャートである。
【符号の説明】
【００７６】
１  画像形成システム
１０  制御部
２０  画像読取部
３０  表示操作部
３１  表示部
３２  操作部
４０  画像形成部
５０  給紙ユニット
６０  後処理部
７０  画像処理部
７１  第１画像処理部
７２  第２画像処理部
８０  通信部
９０  停止部
【図１】
2010010985.tif 000003
【図２】
2010010985.tif 000004
【図３】
2010010985.tif 000005
【図４】
2010010985.tif 000006
【図５】
2010010985.tif 000007
【図６】
2010010985.tif 000008
【図７】
2010010985.tif 000009
【図８】
2010010985.tif 000010